(57)【要約】【課題】コード付きシート振り分けシステムにおいて、搬送系がシンプルで、処理が簡略化できるようにする。【解決手段】コード付きシートを搬送しコード情報を読み取る第１の搬送モードを実行する（Ｓ３，Ｓ４）。再度コード付きシートを搬送し前記第１の搬送モードで読み取ったコード情報にもとづいて、前記コード付きシートを振り分け排紙する第２の搬送モードを実行する（Ｓ９，Ｓ１０，Ｓ１１）【選択図】        図５
2005035698.tif 000002
【特許請求の範囲】
【請求項１】
コード付きシートを搬送しコード情報を読み取る第１の搬送モードと、
コード付きシートを搬送し前記第１の搬送モードで読み取ったコード情報にもとづいて、前記コード付きシートを振り分け排紙する第２の搬送モードと、
を備えたことを特徴とするコード付きシート振り分けシステム。
【請求項２】
請求項１記載のコード付きシート振り分けシステムにおいて、
前記第１の搬送モードおよび前記第２の搬送モードを、同じ給紙部と搬送路を使用して実行することを特徴とするコード付きシート振り分けシステム。
【請求項３】
請求項２記載のコード付きシート振り分けシステムにおいて、
前記第１の搬送モードを行うのか、前記第２の搬送モードを行うのかを、使用者が判断するための情報を表示する表示手段を備えたことを特徴とするコード付きシート振り分けシステム。
【請求項４】
請求項１ないし３のいずれかに記載のコード付きシート振り分けシステムにおいて、
前記コード情報は文字情報であり、前記文字情報を読み取る文字情報読取手段を備えたことを特徴とするコード付きシート振り分けシステム。
【請求項５】
請求項４記載のコード付きシート振り分けシステムにおいて、
前記文字情報読取手段は、コード付きシートの磁気情報を読み取る磁気情報読取手段を有し、前記磁気情報読取手段で読み取った磁気情報から文字認識を行い前記文字情報を取得することを特徴とするコード付きシート振り分けシステム。
【請求項６】
請求項４記載のコード付きシート振り分けシステムにおいて、
前記文字情報読取手段は、コード付きシート面上の画像情報を読み取る画像読取手段を有し、
前記画像読取手段で読み取った画像情報から文字認識を行い前記文字情報を取得することを特徴とするコード付きシート振り分けシステム。
【請求項７】
請求項４記載のコード付きシート振り分けシステムにおいて、
前記文字情報読取手段は、コード付きシートの磁気情報を読み取る磁気情報読取手段と、コード付きシート面上の画像情報を読み取る画像読取手段とを有し、
前記磁気情報読取手段で読み取った磁気情報から文字認識を行い前記文字情報を取得し、前記画像読取手段で読み取った画像情報から文字認識を行い前記文字情報を取得することを特徴とするコード付きシート振り分けシステム。
【請求項８】
請求項５ないし７のいずれかに記載のコード付きシート振り分けシステムにおいて、
記憶媒体を備え、
前記第１の搬送モードで取得した文字情報を、前記記憶媒体に保存することを特徴とする、コード付きシート振り分けシステム。
【請求項９】
請求項８に記載のコード付きシート振り分けシステムにおいて、
コード付きシートを排紙する第１の排紙口と第２の排紙口を備え、
前記第２の搬送モードにおいて、前記記憶媒体に保存した文字情報があらかじめ使用者によって設定された条件に合致するコード付きシートは、前記第１の排紙口に排紙し、前記条件と合致しないコード付きシートは前記第２の排紙口に排紙することを特徴とするコード付きシート振り分けシステム。
【請求項１０】
請求項８に記載のコード付きシート振り分けシステムにおいて、
前記第１の搬送モードおよび前記第２の搬送モードを実行する画像読取装置と該画像読取装置の制御を行うホストコンピュータとを備え、
前記ホストコンピュータ側で、前記第２の搬送モードで使用するコード付きシートの振り分け先テーブルを生成し前記画像形成装置に送信することを特徴とするコード付きシート振り分けシステム。
【請求項１１】
請求項８に記載のコード付きシート振り分けシステムにおいて、
前記第１の搬送モードおよび前記第２の搬送モードを実行する画像読取装置と該画像読取装置の制御を行うホストコンピュータとを備え、
前記第２の搬送モードにおける各コード付きシートのシート順の振り分け先を、前記ホストコンピュータ側から前記画像形成装置に送信し、該画像形成装置側で振り分けテーブルを生成し該振り分けテーブルに従い振り分け排紙を行うことを特徴とするコード付きシート振り分けシステム。
【請求項１２】
請求項８に記載のコード付きシート振り分けシステムにおいて、
前記第１の搬送モードおよび前記第２の搬送モードを実行する画像読取装置と該画像読取装置の制御を行うホストコンピュータとを備え、
前記ホストコンピュータ側で、前記第２の搬送モードで使用するコード付きシートのシート順の振り分けテーブルを生成し保持して、振り分け実行シートごとに、前記ホストコンピュータより振り分け先を前記画像読取装置に指示することを特徴とするコード付きシート振り分けシステム。
【請求項１３】
請求項８に記載のコード付きシート振り分けシステムにおいて、
コード付きシートを排紙する第１の排出口と第２の排紙口を備え、
前記第１の搬送モードで、文字読取に失敗した場合、失敗したコード付きシートは前記第２の排紙口に排出し、前記失敗したコード付きシート以外は前記第１の排紙口に排紙することを特徴とするコード付きシート振り分けシステム。
【請求項１４】
コード付きシートを搬送しコード情報を読み取る第１の搬送モードを実行するステップと、
再度コード付きシートを搬送し前記第１の搬送モードで読み取ったコード情報にもとづいて、前記コード付きシートを振り分け排紙する第２の搬送モードを実行するステップと、
を備えたことを特徴とするコード付きシート振り分け方法。
【発明の詳細な説明】
【０００１】
【発明の属する技術分野】
本発明は、ＭＩＣＲ（Ｍａｇｎｅｔｉｃ  Ｉｎｋ  Ｃｈａｒａｃｔｅｒ  Ｒｅａｄｅｒ）コードなどのコードの付いたシートの振り分けに関し、特にその処理の簡略化に関するものである。
【０００２】
【従来の技術】
従来、チェックスキャナ等の“シート振り分けシステム”は、コード付きシート（原稿ということもある）を搬送させながら搬送路に設けられた磁気ヘッドでＭＩＣＲコードを読み取って、読み取ったＭＩＣＲ結果を用いた振り分けアルゴリズムにより、コード付きシートが排紙口に到達する前までに振り分け先を決定し、振り分け機構を動作させてコード付きシートを指定の排紙口に排紙するといった装置や、コード付きシートを排紙口手前で停止可能な機構を設け、ホストコンピュータ側で振り分け先を決定した後、指定の排紙口に排紙するといったシステムを用いていた。
【０００３】
【特許文献１】
特開平５−２９７４６８号公報
【０００４】
【発明が解決しようとする課題】
しかし、前述のような装置，システムでは、ＭＩＣＲコード読み取りを短時間で完了できるように高価なＣＰＵを使用したり、解析時間を稼ぐために長い搬送路を構成していた。さらに、装置側で搬送中に振り分けの決定を行う場合、多種多様な用途に対処することができなかった。ホストコンピュータ側で振り分け先の決定を行う場合でも、装置は振り分け先が決定するまでコード付きシートを搬送路上に停止させる必要があるため、コード付きシートの搬送制御が複雑化し、さらにコード付きシートの搬送精度向上のために高価な搬送系が必要となっていた。さらに、コード付きシートを搬送路で停止する場合には、搬送路に一枚しかコード付きシートを入れることができないため、連続給紙ができず、分類，振り分け作業の総時間が長くなっていた。
【０００５】
本発明は、このような状況のもとでなされたもので、コード付きシート振り分けシステムにおいて、搬送系がシンプルで、処理が簡略化できることを課題とするものである。
【０００６】
【課題を解決するための手段】
前記課題を解決するため、本発明では、コード付きシート振り分けシステムを次の（１）ないし（１３）のとおりに構成し、コード付きシート振り分け方法を次の（１４）のとおりに構成する。
【０００７】
（１）コード付きシートを搬送しコード情報を読み取る第１の搬送モードと、
コード付きシートを搬送し前記第１の搬送モードで読み取ったコード情報にもとづいて、前記コード付きシートを振り分け排紙する第２の搬送モードと、
を備えたことを特徴とするコード付きシート振り分けシステム。
【０００８】
（２）前記（１）記載のコード付きシート振り分けシステムにおいて、
前記第１の搬送モードおよび前記第２の搬送モードを、同じ給紙部と搬送路を使用して実行することを特徴とするコード付きシート振り分けシステム。
【０００９】
（３）前記（２）記載のコード付きシート振り分けシステムにおいて、
前記第１の搬送モードを行うのか、前記第２の搬送モードを行うのかを、使用者が判断するための情報を表示する表示手段を備えたことを特徴とするコード付きシート振り分けシステム。
【００１０】
（４）前記（１）ないし（３）のいずれかに記載のコード付きシート振り分けシステムにおいて、
前記コード情報は文字情報であり、前記文字情報を読み取る文字情報読取手段を備えたことを特徴とするコード付きシート振り分けシステム。
【００１１】
（５）前記（４）記載のコード付きシート振り分けシステムにおいて、
前記文字情報読取手段は、コード付きシートの磁気情報を読み取る磁気情報読取手段を有し、前記磁気情報読取手段で読み取った磁気情報から文字認識を行い前記文字情報を取得することを特徴とするコード付きシート振り分けシステム。
【００１２】
（６）前記（４）記載のコード付きシート振り分けシステムにおいて、
前記文字情報読取手段は、コード付きシート面上の画像情報を読み取る画像読取手段を有し、
前記画像読取手段で読み取った画像情報から文字認識を行い前記文字情報を取得することを特徴とするコード付きシート振り分けシステム。
【００１３】
（７）前記（４）記載のコード付きシート振り分けシステムにおいて、
前記文字情報読取手段は、コード付きシートの磁気情報を読み取る磁気情報読取手段と、コード付きシート面上の画像情報を読み取る画像読取手段とを有し、
前記磁気情報読取手段で読み取った磁気情報から文字認識を行い前記文字情報を取得し、前記画像読取手段で読み取った画像情報から文字認識を行い前記文字情報を取得することを特徴とするコード付きシート振り分けシステム。
【００１４】
（８）前記（５）ないし（７）のいずれかに記載のコード付きシート振り分けシステムにおいて、
記憶媒体を備え、
前記第１の搬送モードで取得した文字情報を、前記記憶媒体に保存することを特徴とする、コード付きシート振り分けシステム。
【００１５】
（９）前記（８）に記載のコード付きシート振り分けシステムにおいて、
コード付きシートを排紙する第１の排紙口と第２の排紙口を備え、
前記第２の搬送モードにおいて、前記記憶媒体に保存した文字情報があらかじめ使用者によって設定された条件に合致するコード付きシートは、前記第１の排紙口に排紙し、前記条件と合致しないコード付きシートは前記第２の排紙口に排紙することを特徴とするコード付きシート振り分けシステム。
【００１６】
（１０）前記（８）に記載のコード付きシート振り分けシステムにおいて、
前記第１の搬送モードおよび前記第２の搬送モードを実行する画像読取装置と該画像読取装置の制御を行うホストコンピュータとを備え、
前記ホストコンピュータ側で、前記第２の搬送モードで使用するコード付きシートの振り分け先テーブルを生成し前記画像形成装置に送信することを特徴とするコード付きシート振り分けシステム。
【００１７】
（１１）前記（８）に記載のコード付きシート振り分けシステムにおいて、
前記第１の搬送モードおよび前記第２の搬送モードを実行する画像読取装置と該画像読取装置の制御を行うホストコンピュータとを備え、
前記第２の搬送モードにおける各コード付きシートのシート順の振り分け先を、前記ホストコンピュータ側から前記画像形成装置に送信し、該画像形成装置側で振り分けテーブルを生成し該振り分けテーブルに従い振り分け排紙を行うことを特徴とするコード付きシート振り分けシステム。
【００１８】
（１２）前記（８）に記載のコード付きシート振り分けシステムにおいて、
前記第１の搬送モードおよび前記第２の搬送モードを実行する画像読取装置と該画像読取装置の制御を行うホストコンピュータとを備え、
前記ホストコンピュータ側で、前記第２の搬送モードで使用するコード付きシートのシート順の振り分けテーブルを生成し保持して、振り分け実行シートごとに、前記ホストコンピュータより振り分け先を前記画像読取装置に指示することを特徴とするコード付きシート振り分けシステム。
【００１９】
（１３）前記（８）に記載のコード付きシート振り分けシステムにおいて、
コード付きシートを排紙する第１の排出口と第２の排紙口を備え、
前記第１の搬送モードで、文字読取に失敗した場合、失敗したコード付きシートは前記第２の排紙口に排出し、前記失敗したコード付きシート以外は前記第１の排紙口に排紙することを特徴とするコード付きシート振り分けシステム。
【００２０】
（１４）コード付きシートを搬送しコード情報を読み取る第１の搬送モードを実行するステップと、
再度コード付きシートを搬送し前記第１の搬送モードで読み取ったコード情報にもとづいて、前記コード付きシートを振り分け排紙する第２の搬送モードを実行するステップと、
を備えたことを特徴とするコード付きシート振り分け方法。
【００２１】
【発明の実施の形態】
以下本発明の実施の形態を、コード付きシート振り分けシステムの実施例により詳しく説明する。なお、本発明は、システムの形に限らず、実施例の説明に裏付けられて、方法の形で実施することもできる。
【００２２】
【実施例】
（実施例１）
図１は、実施例１である“コード付きシート振り分けシステム”の概略構成を示す図である。
【００２３】
図１に示すように、本システムは、画像読取装置３００と、画像読取装置３００に読み取り動作などの制御を行うアプリケーションとスキャナデバイスドライバを備えたホストコンピュータ９００で構成される。
【００２４】
画像読取装置３００は、図２，図３に示すように、給紙部である給紙ポケット１００に積載されたコード付きシート１０１を分離給紙部１０６で１枚ずつに分離し、スキャナモータ３０２の駆動によってコード付きシートを搬送する。その後磁気ヘッド１０７でＭＩＣＲ読取処理を行い、イメージセンサ１０８で画像情報読取処理を行って、排紙積載部に排紙される。この排紙積載部の排紙第一ポケット（請求項の第１の排紙口に対応）１０２と排紙第二ポケット（請求項の第２の排紙口に対応）１０３には、ＭＩＣＲ情報をもとに２手に振り分け排紙ができるようになっている。また、イメージセンサ１０８で読み取った画像を図示しないデジタル変換部を経てデータとして蓄積するイメージメモリ３０５と、画像読取装置３００全体の動作制御を司るＣＰＵ３０１と、図示しないワークメモリと、を含む構成としている。
【００２５】
一方、ホストコンピュータ９００は、図４に示すように、周知のＯＳ（オペレーションシステム）９０１と、ＯＳ９０１上で動作するアプリケーションソフト９０２と、画像読取装置３００のスキャナデバイスドライバ９０３と、画像読取装置３００との通信を制御する通信部９０４と、大容量記憶媒体９０５と、ホストコンピュータ９００全体の動作制御を司る図示しないＣＰＵとを含む構成としている。画像読取装置３００とホストコンピュータ９００は、通信ケーブルで接続され、周知の通信プロトコルによって、コマンドの通信，画像データの転送を行う構成としている。
【００２６】
以下、本実施例の動作を図５のフローチャートを使用して説明する。
【００２７】
〔情報収集スキャン〕
使用者によるアプリケーション操作によってスキャン動作が開始すると、ホストコンピュータ９００は画像読取装置３００に対して、スキャン条件を設定した後（ステップ１（図ではＳ１と表記する）参照、以下同様）、スキャンコマンドを発行する（ステップ２）。画像読取装置３００はスキャンコマンドを受けてスキャナモータ３０２を回転させて、給紙ポケット１００にセットされたコード付きシート１０１を１枚ずつ分離しながら搬送し（ステップ３）、コード付きシート上に記録されたＭＩＣＲコードを磁気ヘッド１０７で読み取ってワークメモリに保存し、さらにイメージセンサ１０８でコード付きシートの画像読取り動作を行い、読み取った画像データをイメージメモリ３０５に保存する（ステップ４）。画像読取装置３００は、給紙ポケット１００にコード付きシート１０１がなくなるまで搬送と読取動作を繰り返す（ステップ５，ステップ６）。このとき画像読取装置３００は、ＭＩＣＲコードの読取りに失敗したコード付きシートを排紙第二ポケット１０３へ、成功したコード付きシートを排紙第一ポケット１０２に排紙する。ホストコンピュータ９００は、画像読取装置３００から読み取ったＭＩＣＲコードと画像データの両方をバッファに保存しておく。ホストコンピュータ９００は、コード付きシートを全て読み取り終えたことを検知するまで読取りと保存を繰り返す（ステップ７）。
【００２８】
〔振り分け〕
ホストコンピュータ９００は、取得したＭＩＣＲのデータ（および／または画像データ）に基づいて、各コード付きシートの振り分け先を決定する（ステップ８）。
【００２９】
例えば手形などのコード付きシートは、処理を行った銀行の店番号や金額などが磁気コードとしてコード付きシート面上に記録されており、磁気ヘッド１０７でＭＩＣＲコードを読み取る。その磁気コードを用いてＡ銀行で処理された手形は排紙第一ポケット１０２へ、Ａ銀行以外で処理された手形は排紙第二ポケット１０３へ、振り分けることが可能である。
【００３０】
ホストコンピュータ９００は、ＭＩＣＲコードと決定した振り分け先の対照表、すなわち“振り分け先テーブル”を画像読取装置３００に対して送信し（ステップ８）、画像読取装置３００は受信された振り分け先テーブルをバッファに保存する。
【００３１】
〔振り分け実行〕
ホストコンピュータ９００は、排紙第一ポケット１０２に排紙されたコード付きシート束をもう一度給紙ポケット１００に置くように不図示の表示器を介して使用者に促す。使用者によって給紙ポケット１００にコード付きシートが置かれ、振り分け実行が開始されると、ホストコンピュータ９００は画像読取装置３００に対して、スキャンコマンドを発行し、画像読取装置３００はスキャナモータ３０２を回転させて、給紙ポケット１００にセットされたコード付きシート１０１を１枚ずつ分離しながら搬送を開始する（ステップ９）。画像読取装置３００はコード付きシートを搬送しながら、磁気ヘッド１０７でＭＩＣＲコード読み取り（ステップ１０）、読み取ったＭＩＣＲコードを、前記バッファに保存されている振り分け先テーブルを参照することにより、搬送中のコード付きシートの排紙ポケットを決定し排紙を行う（ステップ１１）。ステップ９ないしステップ１１の処理を、コード付きシートがなくなるまで繰り返す（ステップ１２）。このようにして、Ａ銀行で処理された手形を排紙第一ポケット１０２へ振り分けることができる。
【００３２】
以上説明したように、本実施例によれば、コード付きシート停止，再スタートといった搬送系の精度の高い複雑な制御を必要とせず、画像読取装置の搬送系がシンプルになり、制御も容易となる。またＣＰＵに負荷の大きい処理を搬送中に行う必要がないため、ＣＰＵの負荷が少なく安価なＣＰＵで構成することができる上、搬送路を短く構成することができるので画像読取装置を小さく構成することが可能となる。
【００３３】
（実施例２）
実施例２である“コード付きシート振り分けシステム”の動作を図６により説明する。本実施例のハードウエア構成および〔情報収集スキャン〕，〔振り分け〕は、実施例１と同様なので、実施例１の説明を援用し、ここでの重複説明を省略する。
【００３４】
〔振り分け実行〕
ホストコンピュータ９００は、排紙第一ポケット１０２に排紙されたコード付きシート束をもう一度給紙ポケット１００に置くように表示器を介して使用者に促す。
【００３５】
使用者によって給紙ポケット１００にコード付きシートが置かれ、画像読取装置３００でコード付きシートの搬送が開始されると（Ｓ２０）、ホストコンピュータ９００は、シートの何枚目の数またはＭＩＣＲコードを取得し（Ｓ２１）、振り分け先の指示を、０＝排紙第一ポケット１０２へ排紙、１＝排紙第二ポケット１０３へ排紙、としたビット列で画像読取装置３００へ送り（Ｓ２２）、画像読取装置３００は送られてきたデータを振り分けデータテーブルとしてバッファに保存して、振り分け実行時にｎ枚目の搬送ならば、振り分けデータテーブルのｎビット目を参照し、０ならば排紙第一ポケット１０２へ、１ならば排紙第二ポケット１０３へ排紙を行う（Ｓ２３）。
【００３６】
以上説明したように、本実施例によれば、振り分け実行時にＭＩＣＲデコードを行わないので、ＭＩＣＲデコードに時間がかかってもかまわなくなり、さらに安価なＭＩＣＲデコードＣＰＵを構成することができる。
【００３７】
（実施例３）
実施例３である“シート振り分けシステム”の動作を図７により説明する。本実施例のハードウエア構成および〔情報収集スキャン〕，〔振り分け〕は、実施例１と同様なので、実施例１の説明を援用し、ここでの重複説明を省略する。
【００３８】
〔振り分け実行〕
情報収集スキャン後、振り分け先を、０＝排紙第一ポケット１０２へ排紙、１＝排紙第二ポケット１０３へ排紙、とした、振り分けテーブルをホストコンピュータ９００上で保持し、図７のように振り分け実行シートごとに、ホストコンピュータ９００より振り分け先を画像読取装置３００に送信して（Ｓ３０）、振り分けを実行する（Ｓ３１，Ｓ３２，Ｓ３３）。
【００３９】
以上説明したように、本実施例によれば、振り分け実行時にＭＩＣＲデコードを行わなくてすむので、１回目のスキャン時にＭＩＣＲデコードが振り分け機構に間に合わなくてもよく、さらに安価なＭＩＣＲデコードＣＰＵを構成することができる。また振り分けテーブルを画像読取装置内に保持する必要がなくなるため、画像読取装置のワークメモリを小容量のメモリ媒体で構成することができる。
【００４０】
なお、以上の各実施例は、磁気ヘッドでコードを読み取り、振り分ける例であるが、本発明は、これに限らず、イメージセンサでコードを読み取り、振り分ける形で同様に実施することができる。
【００４１】
【発明の効果】
以上説明したように、本発明によれば、コード付きシートが搬送途中で停止しないので、搬送系が非常にシンプルになり、処理が簡略化できる。
【００４２】
また、コード付きシートが搬送途中で停止しないので、連続給紙（搬送路に複数枚のコード付きシートが流れる）が可能となり、処理速度が向上する。
【００４３】
また、アプリケーション自身が直接振り分けを決定するので、搬送路は最短に設計することができ、振り分けアルゴリズム解析に費やす画像読取装置のＣＰＵへの負担を軽減する上、ホストコンピュータとの通信コマンドやりとりも簡略化できる。
【００４４】
二度目の搬送時すなわち第２の搬送モードにおいて、再度ＭＩＣＲを検出する場合は、ＭＩＣＲのデータの確からしさが向上する。
【図面の簡単な説明】
【図１】実施例１の概略構成を示す図
【図２】画像読取装置の構成を示す図
【図３】画像読取装置の信号系の構成を示すブロック図
【図４】ホストコンピュータの構成概念図
【図５】実施例１の動作を示すフローチャート
【図６】実施例２における振り分け実行の処理を示すフローチャート
【図７】実施例３における振り分け実行の処理を示すフローチャート
【符号の説明】
１００    給紙ポケット
１０１    コード付きシート
１０２    排紙第一ポケット
１０３    排紙第二ポケット
１０７    磁気ヘッド
１０８    イメージセンサ
３００    画像読取装置
９００    ホストコンピュータ
【図１】
2005035698.tif 000003
【図２】
2005035698.tif 000004
【図３】
2005035698.tif 000005
【図４】
2005035698.tif 000006
【図５】
2005035698.tif 000007
【図６】
2005035698.tif 000008
【図７】
2005035698.tif 000009